(57)【要約】【課題】生産コストの低い、心地良い装着感を得ることのできる日焼け防止用アームカバーを提供する。【解決手段】アームカバー１は、筒状の本体部２を備えたニット製品であって、その本体部２の両端部がゴム編みされた手首側ゴム部３およびひじ側ゴム部４であって、本体部２の手首側ゴム部３から少しひじ側へ入った位置に、アームカバー１の長手方向にスリット状の親指通し用開口部５が設けられている。このアームカバー１は、丸編み機により、筒状の本体部２を編みながら、親指通し用開口部５が一体として編まれる。【選択図】図１
2013040414.tif 000002
【特許請求の範囲】
【請求項１】
紫外線の透過を抑制する筒状のアームカバーであって、前記アームカバーはニット製であって、前記アームカバーの手首側には指を通す開口部が設けられ、
筒状の部分を丸編みする工程において前記開口部が一体的に形成されたことを特徴とする日焼け防止用アームカバー。
【請求項２】
前記開口部に親指を通すことを特徴とする、請求項１に記載の日焼け防止用アームカバー。
【請求項３】
前記アームカバーは、紫外線の透過を抑制する糸で編まれたことを特徴とする請求項１または請求項２に記載の日焼け防止用アームカバー。
【発明の詳細な説明】
【技術分野】
【０００１】
本発明は、太陽からの紫外線による日焼けを防止するために着用する日焼け防止用のカバーに関し、特に、心地良い装着感で腕および手の甲の日焼けを防止するアームカバーに関する。
【背景技術】
【０００２】
夏季などの気温が高い季節では、体温の上昇を防止するために、着用する衣類が薄くなるとともに、首回り、腕などを広く露出するものが着用されるようになる。このような衣類を着用すると、太陽からの紫外線が直接的に皮膚に当たり、皮膚が日焼けする。この日焼けは、色白を好む女性にとっては美容上大きな問題となり、さらには、この日焼けはシミ、あざ、皮膚がんなどの原因となる。このようなことから、紫外線を遮断して日焼けを防止する日焼け防止用着衣が各種提案されている。
【０００３】
たとえば、特開２００１−１５９０１０号公報（特許文献１）、特開２０００−２６５３０３号公報（特許文献２）および特開平１０−１５８９１１号公報（特許文献３）は、腕の日焼けを防止するアームカバーを開示する。これらの文献に開示されたアームカバーは、腕のみならず手の甲を覆う布部があり、アームカバーに設けられた輪に指を通すことによりアームカバーが不用意にずれないようにしている。このようなアームカバーでは、指を通す輪を別途製作して、アームカバーに取り付ける必要がある。
【０００４】
これに対して、特開２００７−３２１２５１号公報（特許文献４）および実用新案登録第３１６１１２０号公報（特許文献５）は、手の甲を覆う部分に指を通すための穴部を設けたアームカバーを開示する。代表的には親指を穴部から筒状のアームカバーの外部に出すことによりアームカバーが不用意にずれないようにしている。
【先行技術文献】
【特許文献】
【０００５】
【特許文献１】特開２００１−１５９０１０号公報
【特許文献２】特開２０００−２６５３０３号公報
【特許文献３】特開平１０−１５８９１１号公報
【特許文献４】特開２００７−３２１２５１号公報
【特許文献５】実用新案登録第３１６１１２０号公報
【発明の概要】
【発明が解決しようとする課題】
【０００６】
手の甲を覆う部分に指を通すための穴部を設けたアームカバーの一例を図３に示す。図３に示すように従来のアームカバー１０は、丸編み機で編まれ、本体である筒状の本体部１２を備え、その本体部１２の両端がゴム編みされたゴム部１３およびゴム部１４となっている。このようにして編まれた本体部１２の端部からひじ側へ少し入った位置（手の甲の大きさに対応した位置）に、アームカバー１０の長手方向に切り込み（スリット）を設けて、本体部１２がほどけないようにスリットの周囲を穴かがりした開口部１５を備えている。ゴム部１３およびゴム部１４によりアームカバー１０が腕からずれないようにするとともに、開口部１５に、たとえば親指を通してアームカバー１０がずれないようにするので、手の甲を含めて日焼けを防止できるようになる。
【０００７】
しかしながら、図３に示す従来のアームカバー１０では、（１）丸編み工程に加えて開口部を設ける工程（スリット切断＋穴かがり）が必要になり生産コストが上昇すること、（２）開口部が穴かがりされているのでアームカバー本体がニット製品でも開口部の大きさが変えることができないこと、（３）穴かがりにより周囲のアームカバーの厚みよりも盛り上がってしまうこと、（４）開口部に指を通すときに指先の爪で穴かがり糸を引っかけてしまうおそれがあること等の問題点がある。
【０００８】
本発明は、従来技術の上述の問題点に鑑みて開発されたものであり、その目的とするところは、指を通す開口部を備えた筒状のアームカバーであって、生産コストの低い、心地良い装着感を得ることのできるアームカバーを提供することを目的とする。
【課題を解決するための手段】
【０００９】
上記目的を達成するため、本発明のアームカバーは以下の技術的手段を講じている。
即ち、本発明のアームカバーは、紫外線の透過を抑制する筒状のアームカバーであって、前記アームカバーはニット製であって、前記アームカバーの手首側には指を通す開口部が設けられ、筒状の部分を丸編みする工程において前記開口部が一体的に形成されたことを特徴とする。
【００１０】
好ましくは、前記開口部に親指を通すアームカバーであるとよい。
好ましくは、アームカバーは、紫外線の透過を抑制する糸で編むとよい。
【発明の効果】
【００１１】
本発明のアームカバーによれば、筒状のアームカバーに指を通す開口部を一体的に設けることによって、生産コストの低い、心地良い装着感を得ることができる。ここで、心地良い装着感とは、穴かがりされていないので、開口部の大きさが変化してユーザの親指の大きさや形状にフィットし、周囲よりも盛り上がることなく、指先の爪が穴かがり糸を引っかけることもないことを指すものである。
【図面の簡単な説明】
【００１２】
【図１】本発明の実施形態に係るアームカバーの斜視図である。
【図２】図１のアームカバーの使用態様を説明する斜視図である。
【図３】従来のアームカバーの斜視図である。
【発明を実施するための形態】
【００１３】
以下、本発明の実施形態に係るアームカバー１を、図面に基づき詳しく説明する。このアームカバー１は、図１に示すように、筒状の本体部２を備えたニット製品であって、その本体部２の両端部がゴム編みされた手首側ゴム部３およびひじ側ゴム部４となっている。そして、本体部２の手首側ゴム部３からひじ側へ少し入った位置（手の甲の大きさに対応した位置）に、アームカバー１の長手方向にスリット状の親指通し用開口部５が設けられている。
【００１４】
このアームカバー１は、特にその種類を限定しない糸を使って、丸編み機により編まれている。紫外線の透過を抑制する糸でこのアームカバー１を編むことがさらに好ましい。
特徴的であるのは、丸編み機において、親指通し用開口部５を形成することである。アームカバー１の筒状の本体部２を編みながら、その一部にスリット状の親指通し用開口部５を設けるように編む。このような丸編み機は、特に限定されるものではない。このような丸編み機として、たとえば、イタリアのサンジャコモ社製のインターシャ編機である「Ｘ−ｍａｃｈｉｎｅ」と呼ばれる編み機がある。
【００１５】
すなわち、丸編み機を用いて、手首側ゴム部３をゴム編みし、筒状の本体部２を丸編みし、その本体部２を丸編みしている途中で親指通し用開口部５を形成し、ひじ側ゴム部４をゴム編みすることにより、親指通し用開口部５が一体として形成されたアームカバー１が製造される。なお、丸編みする順序はひじ側ゴム部４からであっても構わない。
このようにして編まれたアームカバー１は、従来のアームカバー１０と違って以下の利点がある。（１）丸編み工程において親指通し用開口部５を形成してしまうので、開口部を設けるための編み工程と異なる工程が不要となり生産コストの上昇を抑制できること、（２）開口部が穴かがりされていないので親指通し用開口部５が広がったり縮んだりすること、（３）開口部が穴かがりされていないので親指通し用開口部５の周囲がアームカバーの厚みよりも盛り上がらないこと、（４）親指通し用開口部５に指を通すときに指先の爪で穴かがり糸を引っかけてしまうおそれがないこと、である。
【００１６】
このように製造されたアームカバー１の使用態様を図２に示す。なお、図２においては、親指通し用開口部５に親指のみを通す使用態様を示しているが、本発明はこのような使用態様に限定されるものではない。開口部に通す指は、親指ではなく他の指であっても構わないし、親指１本でなく２本以上の指であっても構わない。
ユーザは、ひじ側ゴム部４を広げて５本の指をアームカバー１の筒状の本体部２に挿入する。５本の指が手首側ゴム部３近傍まで来ると、親指７を親指通し用開口部５に通して、親指７をアームカバー１の外部へ出して、親指以外の他の４本の指を親指通し用開口部５に通さないで、親指以外の他の４本の指を手首側ゴム部３からアームカバー１の外部へ出す。他方の手でひじ側ゴム部１４をひじ近傍まで引っ張り上げることにより、アームカバー１で腕６を覆う。
【００１７】
このように腕６にアームカバー１を装着するときにおいて、爪（特にネイルアートされた爪）等が、かがり糸に引っかかることもない。このため、装着時に問題が発生しない。
腕６にアームカバー１を装着した後において、親指通し用開口部５が穴かがりされていないので親指通し用開口部５が広がったり縮んだりするので、縮むと親指通し用開口部５が過度に広がらないので親指の根元の日焼けを防止できる（さらには小指を親指通し用開口部５に通しても縮ませることもできるので小指の根元の日焼けを防止できる）、広がると２本以上の指でも通すことができること、親指通し用開口部５が穴かがりされていないので親指通し用開口部５の周囲がアームカバー１の厚みよりも盛り上がらないこと、により、引っかかりがなく、かつ、ごろつき感のない、心地良い装着感を実現することができる。
【００１８】
図２に示すようにアームカバー１を装着した状態においては、アームカバー１の筒状部分でユーザの腕６を覆い、アームカバー１の先端側でユーザの手の甲を覆う。従って、心地良い装着感で、ユーザの腕および手の甲が太陽からの紫外線に晒されることがなく、これらの部位の日焼けを防止することができる。
上述したアームカバー１についての、親指通し用開口部５の位置および大きさ、手首側ゴム部３およびひじ側ゴム部４の形状は例示であって、特に限定されるものではない。
【００１９】
なお、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２０】
本発明は、日焼け防止用のアームカバーに好適であり、腕に加えて手の甲が日焼けすることを防止するアームカバーに特に好適である。
【符号の説明】
【００２１】
１    アームカバー
２    本体部
３    手首側ゴム部
４    ひじ側ゴム部
５    親指通し用開口部
【図１】
2013040414.tif 000003
【図２】
2013040414.tif 000004
【図３】
2013040414.tif 000005